(57)【要約】【課題】柄付き歯ブラシ等の手持ち器具を簡単にしかも確実に保持できるスタンドを提供する。【解決手段】表面に開口部１２，１４，１６をあらわして基台７に歯ブラシ３の柄１が係止可能な溝１０を設けると共に、開口部１２，１４，１６に、該開口部１２，１４，１６を柄１を介して覆う固定用覆い体たる弾性体９を設ける。溝１０に臨む基台７の部位をゴム、スポンジ等の弾力性のある弾性体９によって形成している。歯ブラシ３を溝１０に差し込んで弾性体９の弾性力を利用し固定して、ブラシ２に練り歯磨き剤１８をチューブ１７から付けるようにできるので、片手をけがした人や不自由の人でも、一人で歯磨きを行うことができるようになる。【選択図】図１
0003137315.tif 000002
【実用新案登録請求の範囲】
【請求項１】
表面に開口部をあらわして基台に手持ち器具が挿入可能な溝を設けると共に、前記開口部に、該開口部を前記手持ち器具を介して覆う固定用覆い体を設けたことを特徴とする手持ち器具の保持スタンド。
【請求項２】
前記溝に臨む前記基台の部位をゴム、スポンジ等の弾力性のある弾性体によって形成して、該弾性体により前記固定用覆い体の少なくとも一部を形成することを特徴とする請求項１記載の手持ち器具の保持スタンド。
【請求項３】
前記開口部は前記基台の上面及び左右両側面に設けられると共に、これら上面開口部及び左右両側面開口部は連通して前記溝を形成することを特徴とする請求項２記載の手持ち器具の保持スタンド。
【請求項４】
前記弾性体は前記溝の両側に、該溝の全長に沿って設けられていることを特徴とする請求項２又は３記載の手持ち器具の保持スタンド。
【請求項５】
前記弾性体がシリコーンゴムであり、前記手持ち器具が柄を備えた歯ブラシであることを特徴とする請求項２〜５のいずれか１項に記載の手持ち器具の保持スタンド。
【請求項６】
前記固定用覆い体は、一方を前記基台に固定して他方を前記開口部に臨んで起伏自在に設けた覆い体であることを特徴とする請求項１記載の手持ち器具の保持スタンド。
【請求項７】
前記覆い体の起伏方向は前記開口部の長さ方向に対して交差方向に設けられ、前記覆い体の一方は前記開口部の前記交差方向の一方に設けられ、前記覆い体の他方は前記交差方向の他方に設けられることを特徴とする請求項６記載の手持ち器具の保持スタンド。
【請求項８】
前記基台には洗面台や調理台等の台との固定手段を設けたことを特徴とする請求項１〜７のいずれか１項に記載の手持ち器具の保持スタンド。
【請求項９】
前記固定手段が吸盤であることを特徴とする請求項８記載の手持ち器具の保持スタンド。
【考案の詳細な説明】
【技術分野】
【０００１】
本考案は、柄付き歯ブラシや箸或いはスプーン、フォーク等の手持ち器具の保持スタンドに関するものである。
【背景技術】
【０００２】
手に障害がある人にとって、例えば片手で柄付き歯ブラシにチューブ入りの練り歯磨き剤を付着させることは困難である。このような問題を解決するものとして歯ブラシを載置保持することができるようにコップ上端縁部に少なくとも１対の切り込み溝を設けて、片手操作で歯ブラシに歯磨き剤を付着することができるコップが知られている（例えば特許文献１）。
【特許文献１】特開２００７−２１１２１公報
【考案の開示】
【考案が解決しようとする課題】
【０００３】
しかし、従来技術においては、切り込み溝に歯ブラシの柄を挿入して置くので、切り込みの幅が狭い場合には柄を正確に挿入できず、一方切り込みの幅が大きい場合には、挿入した柄ががたついてしまい練り歯磨き剤を正確にブラシに付着できなくなるおそれがある。
【０００４】
解決しようとする問題点は、柄付き歯ブラシ等の手持ち器具を簡単にしかも確実に保持できるスタンドを提供する点である。
【課題を解決するための手段】
【０００５】
請求項１の考案は、表面に開口部をあらわして基台に手持ち器具が挿入可能な溝を設けると共に、前記開口部に、該開口部を前記手持ち器具を介して覆う固定用覆い体を設けたことを特徴とする手持ち器具の保持スタンドである。
【０００６】
請求項２の考案は、前記溝に臨む前記基台の部位をゴム、スポンジ等の弾力性のある弾性体によって形成して、該弾性体により前記固定用覆い体の少なくとも一部を形成することを特徴とする請求項１記載の手持ち器具の保持スタンドである。
【０００７】
請求項３の考案は、前記開口部は前記基台の上面及び左右両側面に設けられると共に、これら上面開口部及び左右両側面開口部は連通して前記溝を形成することを特徴とする請求項２記載の手持ち器具の保持スタンドである。
【０００８】
請求項４の考案は、前記弾性体は前記溝の両側に、該溝の全長に沿って設けられていることを特徴とする請求項２又は３記載の手持ち器具の保持スタンドである。
【０００９】
請求項５の考案は、前記弾性体がシリコーンゴムであり、前記手持ち器具が柄を備えた歯ブラシであることを特徴とする請求項２〜５のいずれか１項に記載の手持ち器具の保持スタンドである。
【００１０】
請求項６の考案は、前記固定用覆い体は、一方を前記基台に固定して他方を前記開口部に臨んで起伏自在に設けた覆い体であることを特徴とする請求項１記載の手持ち器具の保持スタンドである。
【００１１】
請求項７の考案は、前記覆い体の起伏方向は前記開口部の長さ方向に対して交差方向に設けられ、前記覆い体の一方は前記開口部の前記交差方向の一方に設けられ、前記覆い体の他方は前記交差方向の他方に設けられることを特徴とする請求項６記載の手持ち器具の保持スタンドである。
【００１２】
請求項８の考案は、前記基台には洗面台や調理台等の台との固定手段を設けたことを特徴とする請求項１〜７のいずれか１項に記載の手持ち器具の保持スタンドである。
【００１３】
請求項９の考案は、前記固定手段が吸盤であることを特徴とする請求項８記載の手持ち器具の保持スタンドである。
【考案の効果】
【００１４】
請求項１の考案によれば、手持ち器具を溝に配置した状態で覆い体で固定用することで、片手をけがした人や不自由の人でも、一人で手持ち器具を使用することができる。
【００１５】
請求項２の考案によれば、持ち器具を弾性体の弾性力に抗して出し入れして弾性体の弾性力によって手持ち器具を確実に保持できる。
【００１６】
請求項３の考案によれば、上方から挿入した手持ち器具をそのまま左右両側面開口部に設けて横向に挿入して固定することができる。
【００１７】
請求項４の考案によれば、溝のいかなる箇所においても弾性体の弾性力で手持ち器具を広範囲に保持することができる。
【００１８】
請求項５の考案によれば、耐熱・耐水・耐薬品性に優れるようになる。
【００１９】
請求項６の考案によれば、起伏する覆い体によって手持ち器具を簡単に固定することができる。
【００２０】
請求項７の考案によれば、覆い体が溝を跨ぐようにして手持ち器具を確実に固定できるようになる。
【００２１】
請求項８の考案によれば、基台を洗面台や調理台等に確実に固定することができる。
【００２２】
請求項９の考案によれば、基台を吸着力によって洗面台や調理台等に簡単に固定することができる。
【考案を実施するための最良の形態】
【００２３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２４】
図１は実施例１〜図２を示しており、この実施例は手持ち器具としての柄１の先端にブラシ２を設けた柄付き歯ブラシ３を保持する場合を示したものであり、洗面台４の上面５に底面６側が載置する機体となる基台７は箱型であって、底面６には上面５との固定手段としての吸盤８が設けられている。
【００２５】
そして、基台７の内側にシリコーンゴム等ゴム、スポンジ、エラスマトマー等の手で変形可能な程度の弾力性のある弾性体９を固定状態で設けると共に、この弾性体９には柄１を挟持可能なように前後方向の溝幅Ａが柄１の幅Ｂよりも狭い溝１０を設ける。この溝１０は基台７の上面１１の前後幅方向の中央に左右方向に向けて上面開口部１２を設けると共に、この上面開口部１２は上面の左右全長にわたって設けられる。さらに基台７の左側面１３には左側面の前後幅方向の中央に上部から上下方向のほぼ中央部まで左面開口部１４を設けられる。また、基台７の右側面１５には右側面の前後幅方向の中央に上部から上下方向のほぼ中央部まで右面開口部１６が設けられる。そして、これら上面開口部１２と左面開口部１４と右面開口部１６は連通して前記溝１０を形成している。この結果、弾性体９は前記溝１０の前後両側に設けられることとなる。尚、前記弾性体９により形成される上面開口部１２と左面開口部１４と右面開口部１６を備えた溝１０は柄１を挿入可能であればよいので、非挿入時において両側の弾性体９が密着して溝幅Ａがあらわれない切れ目のような状態でもよい。
【００２６】
次に前記構成についてその作用を説明する。基台７の上面５への取付けは、吸盤８を基台７の上面５に当接して、基台７を押圧することで、吸盤８が上面５に吸着することで基台７の固定が行われる。歯ブラシ３の柄１を片手で持ってブラシ２を上向きとして柄１を横向にして溝１０に挿入する。この挿入は溝幅Ａが柄１の幅Ｂよりも狭いので、柄１を弾性体９の弾性力に抗して押し広げられ圧入することによって行われる。そして、所定位置に挿入した柄１の前後は弾性体９の弾性復元により、柄１の上部において溝幅Ａが狭まることで弾性体９の一部により固定用覆い体９Ａが形成されることとなる。そして弾性体９の復元圧力によって固定状態となる。このような歯ブラシ３の固定状態において、自由な手でチューブ１７を握ってその出口から練り歯磨き剤１８をブラシ２に付着するものである。
【００２７】
以上のように、前記実施例では請求項１に対応して、表面に開口部１２，１４，１６をあらわして基台７に歯ブラシ３の柄１が係止可能な溝１０を設けると共に、開口部１２，１４，１６に、該開口部１２，１４，１６を柄１を介して覆う固定用覆い体９Ａを弾性体９の一部に設けたことにより、歯ブラシ３を溝１０に差し込んで固定して、それに練り歯磨き剤１８をチューブ１７から付けるようにできるので、片手をけがした人や不自由の人でも、一人で歯磨きを行うことができるようになり、他人の世話を受けることなく生活を行うことができる。
【００２８】
また、前記実施例では請求項２に対応して、前記溝１０に臨む基台７の部位をゴム、スポンジ等の弾力性のある弾性体９によって形成して、該弾性体９により固定用覆い体９Ａを形成することにより、弾性体９の弾性力によって柄１を確実に保持できると共に、柄１を溝１０に挿入するときや、抜き出すときには、弾性体９の弾性力に抗して簡単に片手で行うことができる。
【００２９】
さらに、前記実施例では請求項３に対応して、前記開口部１２，１４，１６は基台７の上面及び左右両側面に設けられると共に、これら上面開口部１２及び左右両側面開口部１４，１６は連通して溝１０を形成することにより、例えば上面開口部１２から柄１を挿入すれば、そのまま上面開口部１２と連通する左右両側面開口部１４，１６に挿入されるようになるので、上方から挿入した柄１をそのまま横向に挿入して固定することができる。
【００３０】
また、前記実施例では請求項４に対応して、弾性体９は溝１０の両側に、該溝１０の全長に沿って設けられていることにより、溝１０のいかなる箇所においても弾性体９の弾性力で柄１を広範囲に保持することができる。
【００３１】
さらに、前記実施例では請求項５に対応して、弾性体がシリコーンゴムであるので、耐熱・耐水・耐薬品性に優れ、手持ち器具が柄１を備えた歯ブラシ３であることにより、柄１を保持スタンドにより保持した状態で、練り歯磨き剤１８を付着することができる。
【００３２】
また、前記実施例では請求項８に対応して、前記基台７には洗面台４との固定手段である吸盤８を設けたことで、基台７を洗面台４に確実に固定することができると共に、前記実施例では請求項９に対応して、前記固定手段が吸盤８であることにより、吸盤８を上面５に押圧するだけで簡単に固定することができる。
【実施例２】
【００３３】
次に実施例２について図３〜図４を参照して説明する。尚、前記実施例１と同一部分には同一符号を付し、その詳細な説明を省略する。実施例２においては、箱型の基台７´の上面に上面開口部１２´を長手方向に沿って設けることで、該上面開口部１２´に沿って溝１０´が左右側面１３，１５に至るように設けられる。上面開口部１２´を歯ブラシ３の柄１を介して覆う固定用覆い体２１は、金属製の固定バンド状であって、覆い体２１の起伏方向は上面開口部１２´の長さ方向に対して直交した上下交差方向に設けられており、覆い体２１の一方２１Ａは上面開口部１２の交差方向の一方に設けられ、他方２１Ｂは交差方向の他方に設けられることで、この覆い体２１は、一方２１Ａを基台７に固定して他方２１Ｂをヒンジ２２を介して上面開口部１２に臨んで起伏自在に設けたものである。
【００３４】
次に前記構成についてその作用を説明する。基台７の上面５への取付けは、吸盤８が上面５に吸着することで基台７の固定が行われる。そして、覆い体２１を開いた状態で歯ブラシ３の柄１を片手で持ってブラシ２を上向きとして柄１を横向にして溝１０´に挿入する。この挿入は溝幅Ｃが柄１の幅Ｂよりも広いので、多少がたついた状態で載置されることとなる。そして、覆い体２１をヒンジ２２を介して閉じることで、該覆い体２１が柄１を押圧する。このような歯ブラシ３の固定状態において、自由な手でチューブ１７を握ってその出口から練り歯磨き剤１８をブラシ２に付着するものである。
【００３５】
以上のように、前記実施例では前記実施例では実施例１と同様に、請求項１に対応して、表面に開口部１２´をあらわして基台７に歯ブラシ３の柄１が載置可能な溝１０´を設けると共に、開口部１２´に、該開口部１２´を柄１を介して覆う固定用覆い体２１を設けたことにより、歯ブラシ３を溝１０に差し込んで固定して、それに練り歯磨き剤１８をチューブ１７から付けるようにできるので、片手で歯磨きを行うことができるようになるような作用効果の他に、請求項６に対応して固定用覆い体２１は、一方２１Ａを基台７に固定して他方２１Ｂを開口部１２に臨んで起伏自在に設けたことで、起伏する覆い体２１によって柄１を簡単に固定することができる。
【００３６】
さらに、請求項７に対応して、覆い体２１の起伏方向は開口部１２´の長さ方向に対して交差方向に設けられ、覆い体２１の一方２１Ａは開口部１２´の交差方向の一方に設けられ、他方２１Ｂは交差方向の他方に設けられることにより、覆い体２１が溝１０´を跨ぐようにして柄１を確実に固定できるようになる。
【産業上の利用可能性】
【００３７】
以上のように本考案にかかる手持ち器具の保持スタンドは、箸或いはスプーン、フォーク等各種の用途に適用できる。
【図面の簡単な説明】
【００３８】
【図１】実施例１を示す斜視図である。
【図２】同側面図である。
【図３】実施例２を示す斜視図である。
【図４】同側面図である。
【符号の説明】
【００３９】
３  歯ブラシ（手持ち器具）
４  洗面台（台）
７  基台
９  弾性体
９Ａ  固定用覆い体
１０  １０´  溝
８  吸盤
１１  上面
１２  １２´  上面開口部
１３  左側面
１４  左側面開口部
１５  右側面
１６  右側面開口部
２１  固定用覆い体
２１Ａ  一方
２１Ｂ  他方
【図１】
0003137315.tif 000003
【図２】
0003137315.tif 000004
【図３】
0003137315.tif 000005
【図４】
0003137315.tif 000006
【手続補正書】
【提出日】平成19年9月12日(2007.9.12)
【手続補正１】
【補正対象書類名】実用新案登録請求の範囲
【補正対象項目名】請求項５
【補正方法】変更
【補正の内容】
【請求項５】
前記弾性体がシリコーンゴムであり、前記手持ち器具が柄を備えた歯ブラシであることを特徴とする請求項２〜４のいずれか１項に記載の手持ち器具の保持スタンド。
【手続補正２】
【補正対象書類名】明細書
【補正対象項目名】０００９
【補正方法】変更
【補正の内容】
【０００９】
請求項５の考案は、前記弾性体がシリコーンゴムであり、前記手持ち器具が柄を備えた歯ブラシであることを特徴とする請求項２〜４のいずれか１項に記載の手持ち器具の保持スタンドである。